(57)【要約】【課題】  様々な理由で通常のタッチパネルを操作できない人でも容易に操作することができるタッチパネル入力装置を提供すること【解決手段】  情報処理装置のタッチパネル入力装置１００にガイド孔部１２２が開設された透明なガイドプレート１２０を装着する。ガイドプレート１２０を装着したとき、表示変更スイッチ１３２が作動し、キー切り替え手段がプリケーションの操作キーをタッチパネル入力装置１００のガイド孔部１２２に相当する位置に表示する。【選択図】  図２
2006244030.tif 000002
【特許請求の範囲】
【請求項１】
タッチパネルスイッチの表示面に重ねて配置される板状部材と、前記板状部材のタッチパネル上に表示されるタッチキーに操作者が接触可能に開設されたガイド孔部とを備えたことを特徴とするタッチパネル入力装置のガイドプレート。
【請求項２】
板状部材は、透明な素材で形成されていることを特徴とする請求項１のタッチパネル入力装置のガイドプレート。
【請求項３】
前記ガイド孔部の周囲には凹凸部で形成された表示部を備えることを特徴とする請求項１または２のタッチパネル入力装置のガイドプレート。
【請求項４】
表示面に接触することでスイッチ操作を行うタッチパネルスイッチと、請求項１ないし３のいずれかのガイドプレートを備えたことを特徴とするタッチパネル入力装置。
【請求項５】
アプリケーションの操作キーの表示配置を取り付けたガイドプレートのガイド孔部から接触可能な操作キー配列の表示に変更するキー表示切り替え手段を備えたことを特徴とする請求項４のタッチパネル入力装置。
【請求項６】
表示キー配列をアプリケーション固有の表示配列と、ガイドプレートを介して操作可能なキー表示配列に変更する表示変更スイッチを備えたことを特徴とする請求項４または５のタッチッパネル入力装置。
【請求項７】
ガイドプレートがタッチパネル表示面に脱着可能として構成されていることを特著とする請求項４ないし７のいずれかのタッチパネル入力装置。
【請求項８】
前記スイッチ表示変更スイッチはタッチパネル表示面にガイドプレートを装着することにより作動し、表示面にガイドプレートを介して操作可能なキー表示配列が表示されることを特徴とする請求項４ないし７のいずれかのタッチパネル入力装置。
【請求項９】
請求項５ないし８のいずれかのタッチパネル入力装置を備えた情報処理装置。
【請求項１０】
情報処理装置本体に前記表示変更手段を備えたことを特徴とする請求項９の情報処理装置
【発明の詳細な説明】
【技術分野】
【０００１】
本発明は、タッチパネル入力装置のガイドパネルタッチパネル入力装置及び情報処理装置に係り、特に視力や上肢に障害を持つ人でも容易に操作をする事ができるタッチパネル入力装置のガイドパネル、タッチパネル入力装置及び情報処理装置に関する。
【背景技術】
【０００２】
従来、券売機、ＡＴＭ装置、パーソナルコンピュータ等の情報処理装置の入力装置では、ディスプレイの表面に直接触れるだけで入力できるタッチパネル式ディスプレイを有するものが多く用いられている（特許文献１参照）。一般的なタッチパネル式ディスプレイを有する入力装置は、画像や文字等の表示を行うＣＲＴまたは液晶等からなるディスプレイ部（表示部）上に、透明板を基材とするタッチパネルが積層されたものであり、アプリケーションにより表示されるディスプレイ部の表示に従って、平滑面であるタッチパネルの表面に触れることによって入力が行われる。
【０００３】
しかし、このような入力装置では、タッチパネルの表面は平滑でありその表示内容を触覚で認識することができないため、視覚障害者などディスプレイ部の表示を視認できない場合には、どこに触れればよいのかが判らず、操作できない。従って、視覚障害者等が入力装置を操作するためには、他者の介助が必要となる。
【０００４】
そこで、視覚障害者等が他者の介助を必要とせずに比較的容易に入力操作ができるように工夫した入力装置が提案されている。
【０００５】
特許文献２、特許文献３、特許文献４にはタッチパネル式ディスプレイの外周位置に設けられている入力部の外側に、その入力内容を示す凹凸表示部が設けられる入力装置が記載されている。操作者は、この凹凸表示部に設けられている点字またはガイドアイコンに触れることによって、触覚的に入力内容が理解できる。
【特許文献１】実開平２−３８６３０号公報
【特許文献２】特開２０００−３５３２６９号公報
【特許文献３】特開２００１−２７３０７５号公報
【特許文献４】特開平１１−１６１１５１号公報
【発明の開示】
【発明が解決しようとする課題】
【０００６】
しかしながら、視覚障害がある人の他、上肢に障害のある人がタッチパネルを使用する場合には上肢で表示画面をタッチすることができない場合があり、このような場合はテンキー等から入力を補うことなど等で対応している。
【０００７】
また、上述のように入力装置のディスプレイ外装との組み合わせでタッチパネルを使いやすくしている例もあるが、入力時の画面遷移が限られ、複数のアプリケーションや機能には対応できないという問題がある。
【０００８】
そこで、本発明は、様々な理由で通常のタッチパネルを操作できない人でも容易に操作することができるタッチパネル入力装置を提供することを目的とする。
【課題を解決するための手段】
【０００９】
請求項１の発明は、タッチパネルスイッチの表示面に重ねて配置される板状部材と、前記板状部材のタッチパネル上に表示されるタッチキーに操作者が接触可能に開設されたガイド孔部とを備えたことを特徴とするタッチパネル入力装置のガイドプレート。
【００１０】
請求項２の発明は、請求項１のタッチパネル入力装置のガイドプレートにおいて、板状部材は、透明な素材で形成されていることを特徴とする。
【００１１】
請求項３の発明は、請求項１または２のタッチパネル入力装置のガイドプレートにおいて、前記ガイド孔部の周囲には凹凸部で形成された表示部を備えることを特徴とする。
【００１２】
請求項４の発明は、表示面に接触することでスイッチ操作を行うタッチパネルスイッチと、請求項１ないし３のいずれかのガイドプレートを備えたことを特徴とするタッチパネル入力装置である。
【００１３】
請求項５の発明は、請求項４のタッチパネル入力装置において、アプリケーションの操作キーの表示配置を取り付けたガイドプレートのガイド孔部から接触可能な操作キー配列の表示に変更するキー表示切り替え手段を備えたことを特徴とする。
【００１４】
請求項６の発明は、請求項４または５のタッチッパネル入力装置において、表示キー配列をアプリケーションの表示配列と、ガイドプレートを介して操作可能なキー表示配列に変更する表示変更スイッチを備えたことを特徴とする。
【００１５】
請求項７の発明は、請求項４ないし７のタッチパネル入力装置において、ガイドプレートがタッチパネル表示面に脱着可能として構成されていることを特著とする。
【００１６】
請求項８の発明は、請求項４ないし７のいずれかのタッチパネル入力装置において、前記表示変更スイッチはタッチパネル表示面にガイドプレートを装着することにより作動し、表示面にガイドプレートを介して操作可能なキー表示配列が表示されることを特徴とする。
【００１７】
請求項９の発明は、請求項５ないし８のいずれかのタッチパネル入力装置を備えたことを特徴とする情報処理装置である。
【００１８】
請求項１０の発明は、請求項９の情報処理装置において、情報処理装置本体に前記表示変更手段を備えたことを特徴とする。
【発明の効果】
【００１９】
本発明に係るタッチパネル入力装置のガイドパネル、タッチパネル入力装置及び情報処理装置によれば、タッチパネルでの入力操作を行う際に上肢等に障害のある人の隣のキーを押してしまう等の誤操作を防止することができるほか、弱視等の視覚に障害のある人が画面に顔を近付けて誤ってタッチパネルに触れてしまうのを防ぐことができる。
【発明を実施するための最良の形態】
【００２０】
以下本発明を実施するための最良の形態としての実施例を図面に基づいて説明する。
【実施例】
【００２１】
図１は実施の形態に係る上方処理装置を示す斜視図、図２は図１に示したタッチパネル入力装置を示す図であり、（ａ）は正面図、（ｂ）はＢ−Ｂ線断面図、（ｃ）はＣ−Ｃ線断面図、図２は図１に示したタッチパネル入出力装置に使用するガイドパネルを示す斜視図である。
【００２２】
本例は、情報処理装置例えばパーソナルコンピュータ１０にディスプレイ装置をタッチパネル入力装置１００としたものである。なお、図１中２０はパーソナルコンピュータ本体、３０はキーボード、４０はマウスを示している。なお、情報処理装置は、タッチパネル入力装置を配置できる者であれば、パーソナルコンピュータの他券売機、ＡＴＭ装置等であっても良い。
【００２３】
本例において、タッチパネル入力装置１００は液晶表示装置１１０に公知のタッチパネルの機能を形成している。そして、タッチパネル入力装置１００の表面にはガイド孔部１２２が形成されたガイドプレート１２０が取り付けられている。
【００２４】
前記ガイドプレート１２０は、液晶表示装置の表示が見通せる透明な合成樹脂板材で構成されており、図２に示すように所定の個所に指や棒状部材を挿入できる長方形状のガイド孔部１２２が貫通形成されている。本例では、ガイド孔部１２２の周縁は傾斜形成され、指や棒状部材を挿入しやすく形成している。
【００２５】
また、本例では、このパーソナルコンピュータ１０のアプリケーションソフトを作動させたとき、液晶表示装置１１０の枠１１１の内側であって前記ガイド孔部１２２の個所に、アプリケーション操作ようのキーの配列され表示されるようにしている。
【００２６】
この、キーの表示動作は、所定のソフトウエアで構成された表示切り替え手段によって行われる。表示変更手段は、所定の規則に基づいてアプリケーションの操作用キーの配列を前記ガイド孔部１２２の位置に表示するよう処理する。本例では、アプリケーションごとにガイドプレートを付け替える必要がないように、アプリケーションに拘わらずキーの配列を一定にするようにしている。
【００２７】
これにより、タッチパネル入力装置の操作時に誤って、指で隣のキーを同時に押してしまうことやタッチパネル上で棒状部材が滑ってしまう等の誤入力を防止する事ができる。
【００２８】
また、本例では、ガイドプレート１２０の着脱部１３１が設けられており、ガイドプレート１２０は取り外し可能なものとし、ガイドプレートが内情対で同一の機器を使用できるものとしている。本例では、着脱部１３１には、通常のキー配列の表示と、ガイドプレート１２０を取り付けた際にガイド孔部１２２に対応する個所にキーを配列する表示とを切り替える表示変更スイッチ１３２が設けられており、前記表示変更スイッチはタッチパネル表示面にガイドプレートを装着することにより作動し、ガイドプレート１２０を液晶表示装置１１０に取り付けたとき、表示切り替え手段が操作用キーをガイド孔部１２２に合わせた位置に表示する。なお、この表示変更スイッチは着脱部に設けるのではなく、タッチパネル入力装置１００の他の個所あるいは装置本体２０に設けても良い。
【００２９】
なお、本例ではガイド孔部１２２の近傍に点字などの表示１２３を配置することができる。これにより、指先でガイド孔部１２２の情報を得ることができる。
【００３０】
なお、本例では、ガイドプレートに設けたガイド孔部は長方形状のものを規則的に配置したものを示したが、ガイド孔の形状、配置は必要に応じて変更して差し支えない。
【図面の簡単な説明】
【００３１】
【図１】実施例例に係る情報処理装置を示す斜視図である。
【図２】図１に示したタッチパネル入力装置を示す図であり、（ａ）は正面図、（ｂ）は（ａ）中のＢ−Ｂ線に相当する断面図、（ｃ）は（ａ）中のＣ−Ｃに相当する線断面図である。
【図３】図１に示したガイドプレートを示す斜視図である。
【符号の説明】
【００３２】
１０・・・パーソナルコンピュータ
２０・・・装置本体
３０・・・キーボード
４０・・・マウス
１００・・・タッチパネル入力装置
１１０・・・液晶表示装置
１１１・・・枠
１２０・・・ガイドプレート
１２２・・・ガイド孔部
１２３・・・表示
１３１・・・着脱部
１３２・・・表示変更スイッチ
【図１】
2006244030.tif 000003
【図２】
2006244030.tif 000004
【図３】
2006244030.tif 000005